(57)【要約】  【課題】      ポータブルトイレや蓋つき便器、使用済みオムツ容器、生ゴミ容器などの汚物容器で発生する悪臭物質を容器内で分解除去し、これらの容器の使用に際して蓋を開けても周囲に悪臭を漂わせることがなく、同時に容器内の除菌も行い、細菌による感染症も予防できる除菌消臭機能を付帯した汚物容器の提供  【解決手段】      上方に蓋を有する汚物容器において、通気孔を有し、二酸化塩素を含むガスを発生する錠剤を内部に収納している除菌消臭剤収納器が、該蓋に取り付けられている汚物容器  【選択図】  図１
0003134078.tif 000002
【実用新案登録請求の範囲】
【請求項１】
上方に蓋を有する汚物容器において、通気孔を有し、二酸化塩素を含むガスを発生する錠剤を内部に収納している除菌消臭剤収納器が、該蓋に取り付けられている汚物容器
【請求項２】
請求項１において錠剤は塩素化イソシアヌル酸、亜塩素酸ナトリウム、炭酸水素ナトリウムを含有している汚物容器
【請求項３】
請求項１において除菌消臭剤収納器は、感圧接着剤が両面に設けられた弾性体シートからなる接着部材により蓋に取り付けられている汚物容器
【請求項４】
請求項１、２、３のいずれかにおいて汚物容器がポータブルトイレである汚物容器
【考案の詳細な説明】
【技術分野】
【０００１】
本考案は、ポータブルトイレ、蓋つき便器、使用済みオムツ容器、生ゴミ容器などの汚物容器において、発生する悪臭の除去や、細菌による感染症の予防が確実にでき、しかも簡単な構造である除菌消臭機能付汚物容器に関する。
【背景技術】
【０００２】
一般家庭、病院、老人養護施設、保育所などで使用されるポータブルトイレや紙オムツからの糞尿や、生ゴミなどの汚物から発生する悪臭を防ぐためには収納容器に蓋を付けて密閉し悪臭が発散するのを防ぐのが一般的である。しかしながら、蓋による密閉だけでは悪臭の発散を完全に防ぐことはできず、また、その容器の使用に際して蓋を開けると、周囲に悪臭が漂い不快な環境になってしまう。また、便器で便座に蓋が備えられていてもトイレを使用後、便器から悪臭が発生するし、水洗トイレといえども、長い間には隙間などに汚物が堆積し悪臭を発生し、便座の蓋だけでは悪臭の発散を防ぐのはできなかった。オムツ容器や生ゴミ容器でも同様に、あらたに汚物を投入したりする際には周囲に悪臭が漂うことになっていた。
【０００３】
このような悪臭を防ぐためには、悪臭物質の吸着物質である活性炭やある種の鉱物粉末などを汚物容器内に散布したり、芳香物質を同様に汚物容器内に散布したりするが行われている。汚物容器内に吸着消臭剤や芳香剤を散布することではその効果は一時的であり、また新たに汚物を収納する都度散布することは手間のかかることである。
【０００４】
また、便器に使用中は作動する消臭スプレー装置を取り付けたり（特許文献１）、同じく使用中に便器内の空気を吸引して消臭装置との間を循環させたり（特許文献２）する方法なども提案されているが、便器に大掛かりな装置を取り付ける必要がある。
【０００５】
汚物容器の蓋部に消臭剤を収納した容器を設置することも提案されている（特許文献３）が、通常の消臭剤では、汚物容器内の臭気を完全に除去するには十分なものとはいえなかった。
【特許文献１】特開２００５−３４４３００号公報
【特許文献２】特開２００６−１２９９４１号公報
【特許文献３】実用新案登録３０５１２５６号公報
【考案の開示】
【考案が解決しようとする課題】
【０００６】
本考案はポータブルトイレや蓋つき便器、使用済みオムツ容器、生ゴミ容器などの汚物容器で発生する悪臭物質を容器内で分解除去し、これらの容器の使用に際して蓋を開けても周囲に悪臭を漂わせることがなく、同時に容器内の除菌も行い、細菌による感染症も予防できる除菌消臭機能を付帯した汚物容器を提供しようとするものである。
【０００７】
従来の汚物容器の消臭方法では、悪臭の低減効果や臭気のカモフラージュ効果しか実現できていないため、本考案の汚物容器は、大掛かりな装置を必要とせず簡便な装置で、発生する悪臭成分を汚物容器内で分解除去し、元から悪臭を断つとともに除菌も行おうとするものである。
【課題を解決するための手段】
【０００８】
本考案は、上記の課題を達成するために、除菌・消臭効果に優れた二酸化塩素を含むガスに着目し、この二酸化塩素を含むガスの効力を十二分に発揮させ簡単な構造で汚物容器の除菌消臭を実現させるものである。
【０００９】
本考案の汚物容器とはポータブルトイレや蓋つき便器、使用済みオムツ容器、生ゴミ容器などであり、上方に蓋がありこの蓋の内側に、通気孔を有し、二酸化塩素を含むガスを発生する錠剤を収納した除菌消臭剤収納器が取り付けられているものである。
【００１０】
二酸化塩素を含むガスを発生する錠剤は種々あるが、好ましいものは塩素化イソシアヌル酸、亜塩素酸ナトリウム、炭酸水素ナトリウムを含有している錠剤である。このような錠剤を通気孔を有する収納器に納め、この収納器を汚物容器の上方の蓋の内側に取り付けることにより、通気孔を通して二酸化塩素を含むガスを発散させ、汚物容器の中に満たすようにしたものである。本考案の汚物容器では、汚物容器内に満たされた二酸化塩素を含むガスにより、悪臭成分が完全に分解除去され、元から悪臭が断たれるものである。
【００１１】
二酸化塩素ガスは空気の約２倍程度の比重があるため、二酸化塩素を含むガスを発生する錠剤の収納器を汚物容器の上方の蓋に取り付けたことで、収納器の通気孔を通して発散した二酸化塩素を含むガスは、汚物容器の内部全体に拡散し充満する。そのため汚物容器内全体の隅々まで二酸化塩素を含むガスによる消臭、除菌が行われる。二酸化塩素を含むガスは種々の化学反応を引き起こすが、その化学反応過程で生成する発生期の酸素（Ｏ）が汚物容器内の悪臭成分や細菌類を分解除去して、消臭および除菌効果を発揮していると考えられる。
【００１２】
本考案の用いる好ましい錠剤は前記した塩素化イソシアヌル酸、亜塩素酸ナトリウム、炭酸水素ナトリウム以外にも有機カルボン酸なども配合することができる。この錠剤は空気中に二酸化塩素を含むガスを放出するものであるが、空気中に湿気があるとこの放出はさらに促進されるため、湿気のこもりやすい汚物容器内での消臭除菌作用もまた促進される。
【００１３】
本考案の除菌消臭剤収納容器は通気孔が設けられるが、この通気孔は錠剤から発生する二酸化塩素を含むガスが通過できれば良く、大きさは特に限定されず数ミリ程度以下の径の多数の貫通孔を収納器壁に設ければよい。通気孔が大きすぎると、収納器を蓋に取り付けた際に、中に収納した錠剤が外に脱落することがある。また大きな貫通孔を設けて、その孔に通気性のある綿、不織布、連続気泡スポンジなどを充填したり、孔を覆ったりしてもよい。
【００１４】
収納器を汚物容器の蓋に取り付けるには、接着剤や感圧接着テープなどで接着したり、吸盤やビスナットにより固定したりして行うことができる。また蓋の一部を収納容器として成形作成することでもよい。何れの方法をとるにしても、蓋の開閉を行う際に、収納容器が蓋から脱落することのないように、収納容器の蓋への取り付けは確実に行っておく必要がある。
【００１５】
収納器の蓋への取り付けを簡易にかつ確実に行う方法として、感圧接着剤が両面に設けられた弾性体シートからなる接着部材を用いる方法がある。この接着部材はスポンジやゴムなどの弾性体シートの両面に感圧接着剤が設けられているものであり、感圧接着剤とは粘着テープなどに使われる、粘着剤などで被接着素材に押しつけることで接着効果が得られるものである。通常の両面粘着テープはセロファンやプラスチックフィルムなどの両面に粘着剤が塗布されて設けられているものであり、本考案のように繰り返し、蓋の開閉で衝撃が繰り返されると剥がれてくる場合があり、やがて収納器の脱落となる場合がある。これに対して、スポンジなどの弾性体シートの両面に感圧接着剤が設けられたものは、蓋の開閉に対しての接着剤への衝撃が緩和され、長期間の使用に際しても確実な取り付けが確保されるものである。
【考案の効果】
【００１６】
本考案によれば、ポータブルトイレや蓋つき便器、使用済みオムツ容器、生ゴミ容器などの汚物容器で発生する悪臭物質を容器内で分解除去し、これらの容器の使用に際して蓋を開けても周囲に悪臭を漂わせることがなく、同時に容器内の除菌も行い、細菌による感染症も予防できるものである。
【考案を実施するための最良の形態】
【００１７】
以下に本考案の具体的な構成について、図面を参照しながら説明する。
図１は蓋つきの便器（ポータブルトイレ）の斜視図を示し、蓋が開けられている状体を示す。除菌消臭剤収納器１は便器の蓋２の内側に取り付けられている。蓋２は使用後、本体３の上に便座４とともに閉じられる。使用後、蓋２を閉じる事により、収納器１より発生した二酸化塩素を含むガスは空気より比重が大きいため、便器本体３全体に行き渡り、便器内部の悪臭を完全に分解除去するとともに、便器内の細菌も除去するものである。
【００１８】
図２は除菌消臭剤収納器１の斜視図および断面図を示す。収納器１は容器ケース５と容器基部６とからなり、容器ケース５には通気孔７が設けられ、容器基部６には錠剤収納部８が設けられ除菌消臭錠剤９を収納している。容器ケース５や容器基部６はポリプロピレンやポリエチレンなどのプラスチックで成形されて作られる。容器ケース５と容器基部６は、錠剤９を収納した後、凹凸にした連結部を嵌めこんで一体化する。ケース５と基部６との連結は雄ネジと雌ネジを形成してねじ込んでも良い。
【００１９】
収納器１の蓋２への取り付けは接着部材１０により簡易にかつ確実に行うことができる。接着部材１０を図３に示す。弾性体シート１３の両面に感圧接着剤１２が施されており、その上を離型紙１１で保護している形状となっている。使用に際しては先ず一方の離型紙１１をはがして、収納器１の基部６の裏面に接着する。ついで他の離型紙１１をはがして、便器の蓋２に接着する。このようにして、接着部材１０を使用することで簡単確実に収納器１を蓋２に接着することができる。
【００２０】
図４は使用済み紙オムツ入れなどの蓋付き汚物容器の例を示す。除菌消臭剤収納器１が汚物容器の蓋１４に接着部材１０により取り付けられている。使用済みオムツなどの汚物１７を収納した後、蓋１４を閉めておけば、収納器１より発生した二酸化塩素を含むガスにより次の汚物収納までには消臭が行われ、汚物１７を本体１５の中に入れた汚物収納袋１６が満杯になるまで溜めておいても周りに悪臭が漂うことはない。
【００２１】
図５はポリ塩化ビニル、ポリプロピレンなどのプラスチックで作られている生ゴミバケツの例を示す。除菌消臭収納器１はゴミバケツの蓋１８に接着部材１０により取り付けられている。
【産業上の利用可能性】
【００２２】
本考案の汚物容器は一般家庭、病院、老人養護施設、保育所などで使用されるポータブルトイレや蓋つき便器、使用済みオムツ容器、生ゴミ容器として使用され、家庭用品、介護・育児用品などとして利用されるものである。
【図面の簡単な説明】
【００２３】
【図１】本考案の実施例である蓋付き便器の斜視図である。
【図２】本考案の除菌消臭剤収納器の斜視図および断面図である。
【図３】本考案の接着部材の斜視図である。
【図４】本考案の実施例である蓋付き汚物容器の断面図である。
【図５】本考案の実施例である生ゴミバケツの斜視図である。
【符号の説明】
【００２４】
１  除菌消臭剤収納器
２  便器の蓋
３  便器本体
４  便座
５  除菌消臭剤収納器の容器ケース
６  除菌消臭剤収納器の容器基部
７  除菌消臭剤収納器の通気孔
８  除菌消臭剤収納器の錠剤収納部
９  除菌消臭錠剤
１０  接着部材
１１  接着部材の離型紙
１２  接着部材の感圧接着剤
１３  接着部材の弾性体シート
１４  汚物容器の蓋
１５  汚物容器本体
１６  汚物収納袋
１７  汚物
１８  ゴミバケツの蓋
１９  ゴミバケツ本体
【図１】
0003134078.tif 000003
【図２】
0003134078.tif 000004
【図３】
0003134078.tif 000005
【図４】
0003134078.tif 000006
【図５】
0003134078.tif 000007